(57)【要約】【課題】剣先を交換可能とするために、連結部材を備えたベルトを提供する【解決手段】ベルト１は、ベルト本体３の一方の端部に取り付けられる端末部である剣先２と、ベルト本体３と剣先２を連結する剣先連結部４を備える。剣先連結部４は、連結部材１０と、剣先２と係合する剣先係合部材と、ベルト本体３と係合するベルト係合部材を備える。剣先連結部４は、剣先取付部とベルト取付部を備える。剣先２とベルト本体３は、剣先係合部材及びベルト係合部材と係合した状態で剣先連結部４に固定される。剣先部材２は、剣先係合部材と離間した状態で剣先連結部４から分離することにより、剣先連結部４と着脱可能に形成される。【選択図】図１
2019173183.tif 000002
【特許請求の範囲】
【請求項１】
所定の幅を有し、前記幅の方向である幅方向と直交する方向である厚み方向に所定の厚みを有し、前記幅方向及び前記厚み方向に直交する方向である延伸方向に延びる延伸部を備えたベルト本体と、
前記ベルト本体の一方の端部に取り付けられる端末部である剣先と、
前記ベルト本体と前記剣先を連結する剣先連結部と
を備え、
前記剣先連結部は、
連結部材と、前記剣先と係合する剣先係合部材と、
前記ベルト本体と係合するベルト係合部材と
を備え、
前記連結部材は、
前記剣先を前記剣先連結部に取り付ける剣先取付部と、
前記ベルト本体を前記剣先連結部に取り付けるベルト取付部と
を備え、
前記剣先と前記ベルト本体は、前記剣先係合部材及び前記ベルト係合部材と係合した状態で前記剣先連結部に固定され、
前記剣先は、前記剣先係合部材と離間した状態で前記剣先連結部から分離することにより、前記剣先連結部と着脱可能に形成されたことを特徴とするベルト。
【請求項２】
前記連結部材は、
前記剣先と前記ベルト本体の前記厚み方向における一方の面とを覆う第一壁部と、
他方の面を覆う第二壁部と
を備え、
前記第一壁部は、
前記剣先係合部材が挿入される剣先係合部材用穴と、
前記ベルト係合部材が挿入されるベルト係合部材用穴と
を備え、
前記第二壁部は、
前記第二壁部のうち前記剣先及び前記ベルト本体に接する側であって、前記剣先係合部材用穴と前記ベルト係合部材用穴に対向する位置に剣先係合部材用凹部及びベルト係合部材用凹部を備え、
前記剣先は、前記剣先係合部材用穴に対応した位置に剣先開口部を備え、
前記ベルト本体は、前記ベルト係合部材用穴に対応した位置にベルト開口部を備え、
前記剣先係合部材は、前記剣先係合部材用穴に挿入されて前記剣先に係合した先端が前記剣先係合部材用凹部に接触し、
前記ベルト係合部材は、前記ベルト係合部材用穴に挿入されて前記ベルト本体に係合した先端が前記ベルト係合部材用凹部に接触した状態で、前記剣先及び前記ベルト本体が前記剣先連結部に固定されたことを特徴とする請求項１に記載のベルト。
【請求項３】
前記連結部材は、前記第一壁部と前記第二壁部、及び前記第一壁部と前記第二壁部をつなぐ２つの側壁部によって一体的に形成され、前記延伸方向の一端に剣先挿入部と、前記延伸方向の他端にベルト挿入部を備え、
前記剣先係合部材と前記ベルト係合部材は、少なくとも一部に雄ネジ形状が形成され、
前記剣先係合部材が前記剣先係合部材用穴に挿入されたとき、前記剣先係合部材と前記剣先係合部材用穴とが螺合し、
前記ベルト係合部材が前記ベルト係合部材用穴に挿入されたとき、前記ベルト係合部材と前記ベルト係合部材用穴とが螺合し、
前記剣先は、前記剣先係合部材が前記剣先係合部材用穴に挿入されていない状態で、前記延伸方向に沿って前記剣先挿入部に着脱可能であり、
前記ベルト本体は、前記ベルト係合部材が前記ベルト係合部材用穴に挿入されていない状態で、前記延伸方向に沿って前記ベルト挿入部に着脱可能である事を特徴とする請求項２に記載のベルト。
【請求項４】
前記剣先連結部はさらに留め具を備え、
前記連結部材は、第一連結部材と第二連結部材を備え、
前記第一連結部材又は前記第二連結部材の少なくとも一方に、前記剣先係合部材と前記ベルト係合部材を備え、他方の前記剣先係合部材と前記ベルト係合部材に対応した位置に剣先留め具用穴とベルト留め具用穴を備え、
前記剣先は、前記剣先係合部材に対応した位置に剣先開口部を備え、
前記ベルト本体は、前記ベルト係合部材に対応した位置にベルト開口部を備え、
前記剣先は、前記剣先開口部に前記剣先係合部材が挿入され、前記剣先取付部において前記厚み方向で前記第一連結部材と前記第二連結部材の間に挟まれ、
前記ベルト本体は、前記ベルト開口部に前記ベルト係合部材が挿入され、前記ベルト取付部において前記厚み方向で前記第一連結部材と前記第二連結部材の間に挟まれ、
前記留め具が、前記剣先留め具用穴及び前記ベルト留め具用穴に通され、前記剣先係合部材と前記ベルト係合部材に挿入されることによって、前記第一連結部材と前記第二連結部材が固定されたことを特徴とする請求項１に記載のベルト。
【請求項５】
前記第一連結部材又は前記第二連結部材は、前記ベルト取付部において前記ベルト本体を押さえる突部であるベルト押さえ突部を備えたことを特徴とする請求項４に記載のベルト。
【請求項６】
前記剣先係合部材及び前記ベルト係合部材は、前記幅方向に離間して複数箇所備えられたことを特徴とする請求項１から５のいずれかに記載のベルト。
【請求項７】
前記連結部材は第三連結部材と第四連結部材を備え、
前記第三連結部材又は前記第四連結部材の少なくとも一方に、前記剣先係合部材と前記ベルト係合部材を備え、
前記第三連結部材と前記第四連結部材は、前記剣先取付部の前記延伸方向の端部又は前記ベルト取付部の前記延伸方向の端部における前記幅方向の両端部において、一方に回転軸穴を備え他方に回転軸部を備え、
前記第三連結部材と前記第四連結部材とが互いに係合し合う係合固定部を備え、
前記第三連結部材と前記第四連結部材とは、前記回転軸穴及び前記回転軸部によって相対的に回転可能であり、
前記第四連結部材が前記第三連結部材に対して開いた状態で、前記剣先係合部材は前記剣先と離間し、前記ベルト係合部材は前記ベルト本体と離間し、
前記第四連結部材が前記第三連結部材に対して閉じた状態で、前記剣先係合部材が前記剣先に係合可能であり、前記ベルト係合部材が前記ベルト本体に係合可能であることを特徴とする請求項１又は６に記載のベルト。
【請求項８】
前記連結部材は、前記剣先取付部と前記ベルト取付部との間に境界部を備え、前記剣先取付部と前記ベルト取付部は前記境界部によって分離されることを特徴とする請求項１から７のいずれかに記載のベルト。
【請求項９】
前記ベルト本体は、前記延伸部において編地が前記延伸方向に沿って折り曲げて縫製され、
前記編地は、弾性糸と非弾性糸とから編成される経編地であり、前記経編地の経方向を前記延伸方向とし、該延伸方向の引張物性は伸張率５％の引張荷重がベルト幅１０ｍｍ当たり３〜７Ｎであり、且つ伸張率１０％の引張荷重がベルト幅１０ｍｍ当たり５〜１２Ｎであることを特徴とする請求項１から８のいずれかに記載のベルト。
【発明の詳細な説明】
【技術分野】
【０００１】
本発明は、ウエストに着用する連結部材を備えたベルトに関する。
【背景技術】
【０００２】
従来、運動時等にウエストに着用される種々のベルトが提案されている。例えば、特許文献１のベルトサポーターは、弾性糸と非弾性糸とから編成される編地を複数枚縫製し積層した延伸部を有するものである。ベルト本体の延伸部における締付方向の引張物性は、所定の引張荷重を有することで、腰部を保護するものである。また、ベルト本体の一方の端部には、ベルト穴が設けられた端末部である剣先が縫製部にてベルト本体に縫製固着されている。
【先行技術文献】
【特許文献】
【０００３】
【特許文献１】特開２０１４−２１２８６４号公報
【発明の概要】
【発明が解決しようとする課題】
【０００４】
しかしながら、従来例では剣先がベルト本体に縫製固着されているのでユーザーが交換することができない。一度ベルトを購入すると異なるデザイン或いは材質からなる剣先と交換することができなかった。また、ベルトを長期間使用すると、剣先のベルト穴は所定の引張荷重によって変形する可能性があった。しかし、従来例では、剣先を交換することができず、ベルト全体を交換する必要があった。
【０００５】
本発明の目的は、ベルト本体に対して剣先を交換可能とするために、連結部材を備えたベルトを提供することである。
【課題を解決するための手段】
【０００６】
本発明の態様に係るベルトは、所定の幅を有し、前記幅の方向である幅方向と直交する方向である厚み方向に所定の厚みを有し、前記幅方向及び前記厚み方向に直交する方向である延伸方向に延びる延伸部を備えたベルト本体と、前記ベルト本体の一方の端部に取り付けられる端末部である剣先と、前記ベルト本体と前記剣先を連結する剣先連結部とを備え、前記剣先連結部は、連結部材と、前記剣先と係合する剣先係合部材と、前記ベルト本体と係合するベルト係合部材とを備え、前記連結部材は、前記剣先を前記剣先連結部に取り付ける剣先取付部と、前記ベルト本体を前記剣先連結部に取り付けるベルト取付部とを備え、前記剣先と前記ベルト本体は、前記剣先係合部材及び前記ベルト係合部材と係合した状態で前記剣先連結部に固定され、前記剣先は、前記剣先係合部材と離間した状態で前記剣先連結部から分離することにより、前記剣先連結部と着脱可能に形成されたことを特徴とする。
【０００７】
この場合、剣先は剣先係合部材と係合した状態で剣先連結部に固定され、ベルト本体はベルト係合部材と係合した状態で剣先連結部に固定される。少なくとも剣先は、剣先係合部材と離間した状態で剣先連結部から分離することにより、剣先連結部と着脱可能である。よって、ユーザーは自ら剣先を交換することができる。損傷或いは変形した剣先、購入時と異なるデザイン或いは材質からなる剣先と交換することができる。
【０００８】
前記ベルトの前記連結部材は、前記連結部材は、前記剣先と前記ベルト本体の前記厚み方向における一方の面とを覆う第一壁部と、他方の面を覆う第二壁部とを備え、前記第一壁部は、前記剣先係合部材が挿入される剣先係合部材用穴と、前記ベルト係合部材が挿入されるベルト係合部材用穴とを備え、前記第二壁部は、前記第二壁部のうち前記剣先及び前記ベルト本体に接する側であって、前記剣先係合部材用穴と前記ベルト係合部材用穴に対向する位置に剣先係合部材用凹部及びベルト係合部材用凹部を備え、前記剣先は、前記剣先係合部材用穴に対応した位置に剣先開口部を備え、前記ベルト本体は、前記ベルト係合部材用穴に対応した位置にベルト開口部を備え、前記剣先係合部材は、前記剣先係合部材用穴に挿入されて前記剣先に係合した先端が前記剣先係合部材用凹部に接触し、前記ベルト係合部材は、前記ベルト係合部材用穴に挿入されて前記ベルト本体に係合した先端が前記ベルト係合部材用凹部に接触した状態で、前記剣先及び前記ベルト本体が前記剣先連結部に固定されてもよい。
【０００９】
この場合、第一壁部に剣先係合部材用穴とベルト係合部材用穴を備えるので、剣先係合部材とベルト係合部材が挿入される位置が固定される。よって、剣先係合部材が剣先開口部に係合し、ベルト係合部材がベルト開口部に係合する。さらに、第二壁部のうち剣先及びベルト本体に接する側であって、剣先係合部材用穴とベルト係合部材用穴に対向する位置に剣先係合部材用凹部及びベルト係合部材用凹部を備える。よって、剣先係合部材の先端とベルト係合部材の先端が、剣先係合部材用凹部及びベルト係合部材用凹部に傾くことなく接触し、剣先とベルト本体が剣先連結部に確実に固定される。
【００１０】
前記ベルトの前記連結部材は、前記第一壁部と前記第二壁部、及び前記第一壁部と前記第二壁部をつなぐ２つの側壁部によって一体的に形成され、前記延伸方向の一端に剣先挿入部と、前記延伸方向の他端にベルト挿入部を備え、前記剣先係合部材と前記ベルト係合部材は、少なくとも一部に雄ネジ形状が形成され、前記剣先係合部材が前記剣先係合部材用穴に挿入されたとき、前記剣先係合部材と前記剣先係合部材用穴とが螺合し、前記ベルト係合部材が前記ベルト係合部材用穴に挿入されたとき、前記ベルト係合部材と前記ベルト係合部材用穴とが螺合し、前記剣先は、前記剣先係合部材が前記剣先係合部材用穴に挿入されていない状態で、前記延伸方向に沿って前記剣先挿入部に着脱可能であり、前記ベルト本体は、前記ベルト係合部材が前記ベルト係合部材用穴に挿入されていない状態で、前記延伸方向に沿って前記ベルト挿入部に着脱可能であってもよい。
【００１１】
この場合、連結部材は第一壁部と第二壁部、及び第一壁部と第二壁部をつなぐ２つの側壁部によって一体的に形成されているので取扱が容易である。剣先係合部材とベルト係合部材は、少なくとも一部に雄ネジ形状が形成され、剣先係合部材が剣先係合部材用穴に挿入されたとき、剣先係合部材と前記剣先係合部材用穴とが螺合する。よって、剣先とベルト本体の取付作業が容易であり、剣先係合部材とベルト係合部材が連結部材に安定的に締結される。剣先は、剣先係合部材が剣先係合部材用穴に挿入されていない状態で、延伸方向に沿って剣先挿入部に着脱可能なので、着脱作業が容易である。同様に、ベルト本体は、ベルト係合部材が前記ベルト係合部材用穴に挿入されていない状態で、延伸方向に沿ってベルト挿入部に着脱可能なので、着脱作業が容易である。
【００１２】
前記ベルトの前記剣先連結部はさらに留め具を備え、前記連結部材は、第一連結部材と第二連結部材を備え、前記第一連結部材又は前記第二連結部材の少なくとも一方に、前記剣先係合部材と前記ベルト係合部材を備え、他方の前記剣先係合部材と前記ベルト係合部材に対応した位置に剣先留め具用穴とベルト留め具用穴を備え、前記剣先は、前記剣先係合部材に対応した位置に剣先開口部を備え、前記ベルト本体は、前記ベルト係合部材に対応した位置にベルト開口部を備え、前記剣先は、前記剣先開口部に前記剣先係合部材が挿入され、前記剣先取付部において前記厚み方向で前記第一連結部材と前記第二連結部材の間に挟まれ、前記ベルト本体は、前記ベルト開口部に前記ベルト係合部材が挿入され、前記ベルト取付部において前記厚み方向で前記第一連結部材と前記第二連結部材の間に挟まれ、前記留め具が、前記剣先留め具用穴及び前記ベルト留め具用穴に通され、前記剣先係合部材と前記ベルト係合部材に挿入されることによって、前記第一連結部材と前記第二連結部材が固定されてもよい。
【００１３】
この場合、剣先連結部はさらに留め具を備え、第一連結部材と第二連結部材のいずれ一方に剣先係合部材とベルト係合部材を備え、他方の剣先係合部材とベルト係合部材に対応した位置に剣先留め具用穴とベルト留め具用穴を備える。よって剣先連結部は、剣先係合部材及びベルト係合部材が、留め具によって第一連結部材又は第二連結部材と固定される。剣先は、剣先開口部に剣先係合部材が挿入され、剣先取付部において厚み方向で第一連結部材と第二連結部材の間に挟まれ、剣先留め具用穴に留め具が挿入される。よって剣先は、第一連結部材と第二連結部材に挟まれて固定され、剣先連結部に対してズレが少なくなる。ベルト本体は、ベルト開口部にベルト係合部材が挿入され、ベルト取付部において厚み方向で第一連結部材と第二連結部材の間に挟まれ、ベルト留め具用穴に留め具が挿入される。よってベルト本体は、第一連結部材と第二連結部材に挟まれて固定され、剣先連結部に対してズレが少なくなる。
【００１４】
前記ベルトの前記第一連結部材又は前記第二連結部材は、前記ベルト取付部において前記ベルト本体を押さえる突部であるベルト押さえ突部を備えてもよい。この場合、ベルト本体は、第一連結部材に第二連結部材が取り付けられたときベルト押さえ突部によって固定されるので、ベルトが剣先連結部によってより確実に固定される。
【００１５】
前記ベルトの前記剣先係合部材及び前記ベルト係合部材は、前記幅方向に離間して複数箇所備えられてもよい。この場合、剣先とベルト本体は複数箇所の剣先係合部材及びベルト係合部材で係合されるので、よりズレが少なくなる。またベルトが延伸方向に引っ張られたときに、剣先係合部材及びベルト係合部材にかかる負荷を分散させることができるので剣先及びベルト本体の変形及び損傷を軽減することができる。
【００１６】
前記ベルトの前記連結部材は、第三連結部材と第四連結部材を備え、前記第三連結部材又は前記第四連結部材の少なくとも一方に、前記剣先係合部材と前記ベルト係合部材を備え、前記第三連結部材と前記第四連結部材は、前記剣先取付部の前記延伸方向の端部又は前記ベルト取付部の前記延伸方向の端部における前記幅方向の両端部において、一方に回転軸穴を備え他方に回転軸部を備え、前記第三連結部材と前記第四連結部材とが互いに係合し合う係合固定部を備え、前記第三連結部材と前記第四連結部材とは、前記回転軸穴及び前記回転軸部によって相対的に回転可能であり、前記第四連結部材が前記第三連結部材に対して開いた状態で、前記剣先係合部材は前記剣先と離間し、前記ベルト係合部材は前記ベルト本体と離間し、前記第四連結部材が前記第三連結部材に対して閉じた状態で、前記剣先係合部材が前記剣先に係合可能であり、前記ベルト係合部材が前記ベルト本体に係合可能であってもよい。
【００１７】
この場合、第一連結部材と第二連結部材とは相対的に回転可能なので、剣先及びベルト本体の着脱がより簡単である。第二連結部材が第一連結部材に対して開いた状態で、剣先係合部材は剣先と離間し、ベルト係合部材はベルト本体と離間するので、連結部材に対して剣先及びベルト本体は着脱可能である。第二連結部材が第一連結部材に対して閉じた状態で、剣先係合部材が剣先に係合可能であり、ベルト係合部材がベルト本体に係合可能なので、剣先とベルト本体は連結部材により確実に固定される。第一連結部材と第二連結部材とが互いに係合し合う係合固定部を備えるので、剣先連結部は第一連結部材と第二連結部材を閉じた状態で固定することができる。
【００１８】
前記ベルトの前記連結部材は、前記剣先取付部と前記ベルト取付部との間に境界部を備え、前記剣先取付部と前記ベルト取付部は前記境界部によって分離されてもよい。この場合、連結部材に剣先を取り付ける際に取付位置の目安となり、剣先を容易に取り付けることができる。また、剣先とベルト本体とが重なって取り付けられることを防止できる。
【００１９】
前記ベルトの前記ベルト本体は、前記延伸部において編地が前記延伸方向に沿って折り曲げて縫製され、前記編地は、弾性糸と非弾性糸とから編成される経編地であり、前記経編地の経方向を前記延伸方向とし、該延伸方向の引張物性は伸張率５％の引張荷重がベルト幅１０ｍｍ当たり３〜７Ｎであり、且つ伸張率１０％の引張荷重がベルト幅１０ｍｍ当たり５〜１２Ｎであってもよい。
【００２０】
この場合、延伸部における編地は所定の引張荷重を有する伸縮性のある経編地なので、適切な範囲の引張荷重であるベルトサポーターとしての機能を果たすことができる。ベルトは剣先連結部を備えるので、仮に所定の引張荷重によって剣先が損傷を受けたとしても剣先のみ交換することができる。
【図面の簡単な説明】
【００２１】
【図１】本発明に係るベルト１全体を示す平面図である。
【図２】第一の実施形態に係るベルト１ａを示した図であり、図１の裏面図（厚み方向裏側から見た図）であり、紙面の左側は剣先連結部４ａの正面図（厚み方向表側から見た図）である。
【図３】第一の実施形態に係るベルト１ａにおける連結部材１０ａの斜視図である。
【図４】第一の実施形態に係るベルト１ａを示した図であり、図１における断面Ａ−Ａであって、剣先連結部４ａの連結部材１０ａに、剣先２とベルト本体３、及び剣先係合部材８ａとベルト係合部材９ａを取り付ける前の状態を示した図である。
【図５】第一の実施形態に係るベルト１ａを示した図であり、図１における断面Ａ−Ａであって、剣先連結部４ａの連結部材１０ａに、剣先２とベルト本体３、及び剣先係合部材８ａとベルト係合部材９ａを取り付けた状態を示した図である。
【図６】第一の実施形態に係るベルト１ａを示した図であり、図１における断面Ａ−Ａであって、図５に対して境界部７ａを備えない場合を示した図である。
【図７】第二の実施形態に係るベルト１ｂを示した図であり、剣先連結部４ｂにおける第一連結部材２００と第二連結部材２０１に取り付ける剣先２とベルト本体３を示した平面図（厚み方向表側から見た図）であり、第二連結部材２０１は、第一連結部材２００から取り外され、第一連結部材２００と対向する側を紙面の表側に示した図である。
【図８】第二の実施形態に係るベルト１ｂを示した図であり、図１における断面Ａ−Ａであって、第一連結部材２００と第二連結部材２０１に剣先２とベルト本体３、及び留め具２０２を取り付ける前の状態を示した図である。
【図９】第二の実施形態に係るベルト１ｂを示した図であり、図１における断面Ａ−Ａであって、第一連結部材２００と第二連結部材２０１に剣先２とベルト本体３、及び留め具２０２を取り付けた状態を示した図である。
【図１０】第二の実施形態に係る第一連結部材２００の斜視図である。
【図１１】第二の実施形態に係る第二連結部材２０１の斜視図である。
【図１２】第三の実施形態に係るベルト１ｃを示した図であり、図１における断面Ａ−Ａであって、剣先連結部４ｃに剣先２とベルト本体３を取り付ける前の状態を示した図である。
【図１３】第三の実施形態に係るベルト１ｃを示した図であり、図１における断面Ａ−Ａであって、剣先連結部４ｃに剣先２とベルト本体３を取り付けた状態を示した図である。
【発明を実施するための形態】
【００２２】
以下、本発明を具現化したベルト１について、図面を参照して説明する。図１を参照し、ベルト１の概要について説明する。本発明の態様に係るベルト１は、所定の幅を有し、幅の方向である幅方向と直交する方向である厚み方向に所定の厚みを有し、幅方向及び厚み方向に直交する方向である延伸方向に延びる延伸部２４を備えたベルト本体３を備える。ベルト１は、ベルト本体３の一方の端部３０に取り付けられる端末部である剣先２と、ベルト本体３と剣先２を連結する剣先連結部４を備える。図４〜図１０及び図１２、図１３に示すように、第一〜第三の第三実施形態に係るベルト１の剣先連結部４は、連結部材１０と、剣先２と係合する剣先係合部材８と、ベルト本体３と係合するベルト係合部材９を備える。剣先連結部４は、剣先２を剣先連結部４に取り付ける剣先取付部５と、ベルト本体３を剣先連結部４に取り付けるベルト取付部６とを備える。剣先２とベルト本体３は、剣先係合部材８及びベルト係合部材９と係合した状態で剣先連結部４に固定される。剣先２は、剣先係合部材８と離間した状態で剣先連結部４から分離することにより、剣先連結部４と着脱可能に形成される。
【００２３】
図１に示すように、ベルト１はベルト本体３の他方の端部にバックル部４５を備える。詳細な説明は省略するが、バックル部４５はフレーム４０と支持部４３と係止ピン４２、及びベルト通し４４を備える。バックル部４５はベルト本体３に取り付けられている。係止ピン４２は係合部４１で支持部４３に回転可能に取り付けられている。剣先２はベルト穴４６を備える。図１の例では、ベルト穴４６は５個である。なお、ベルト穴４６の個数はいくつであっても良い。ベルト１を使用する際に、剣先２をベルト通し４４に挿入し、係止ピン４２をベルト穴４６に挿入する。図１に示す例では、ベルト本体３の表側は２色の材料によって形成され、幅方向のほぼ中心を境として第一色のベルト本体３ａと第二色のベルト本体３ｂからなる。ベルト本体３の裏側は、図２に示すように１色である。なお、ベルト本体３の表側は必ずしも２色で形成する必要は無く、１色でも良いし或いは３色以上でも良い。また、ベルト本体３の裏側は表側と同様に２色でも良い。ベルト本体３の表側と裏側の色及び材質は種々の組合せが可能である。
【００２４】
次に、本発明に係る第一の実施形態に係るベルト１であるベルト１ａについて、図２〜図６を参照して詳細に説明する。図２、図３に示すように、ベルト１ａの連結部材１０ａは、剣先２とベルト本体３の厚み方向における一方の面とを覆う第一壁部１００と、他方の面を覆う第二壁部１０１とを備える。第一壁部１００と第二壁部１０１は、厚み方向においてほぼ対象形状であり、四隅の角が丸みを有し延伸方向において中央部が凹んだ形状である。図４に示すように、第一壁部１００は、剣先係合部材８ａが挿入される２つの剣先係合部材用穴１３０と、ベルト係合部材９ａが挿入される２つのベルト係合部材用穴１３１とを備える。２つの剣先係合部材用穴１３０は、第一壁部１００の延伸方向の一方の端部において、幅方向に離間して設けられている。２つのベルト係合部材用穴１３１は、第一壁部１００の延伸方向の一方の端部において、幅方向に離間して設けられている。第二壁部１０１は、剣先２及びベルト本体３に接する側であって、剣先係合部材用穴１３０とベルト係合部材用穴１３１に対向する位置に剣先係合部材用凹部１０４及びベルト係合部材用凹部１０５を備える。剣先係合部材用凹部１０４とベルト係合部材用凹部１０５の形状は、剣先係合部材８ａとベルト係合部材９ａの先端形状に合わせた凹部形状である。
【００２５】
剣先２は、剣先係合部材用穴１３０に対応した位置に剣先開口部１４ａを備える。ベルト本体３は、ベルト係合部材用穴１３１に対応した位置にベルト開口部１５ａを備える。図５に示すように、剣先係合部材８ａは、剣先係合部材用穴１３０に挿入されて剣先開口部１４ａにて剣先２に係合し、先端が剣先係合部材用凹部１０４に接触する。ベルト係合部材９ａは、ベルト係合部材用穴１３１に挿入されてベルト開口部１５ａにてベルト本体３に係合した先端がベルト係合部材用凹部１０５に接触する。この状態で、剣先２及びベルト本体３が剣先連結部４ａに固定される。
【００２６】
図２に示すように、ベルト開口部１５ａはハトメ１６が取り付けられて補強されている。ベルト本体３は、延伸方向に引っ張られたときベルト開口部１５ａに荷重が集中するため、ハトメ１６を取り付けることで変形や損傷を低減している。また、ベルト本体３の延伸方向の端部３０は、ほどけることの防止と強度アップのために幅方向全体にわたって縫製処理されている。なお、第一壁部１００と第二壁部１０１は、図２及び図３に示した形状に限定されない。例えば、四隅の角が丸みを有しなくてもよいし、延伸方向において中央部が突出した形状でもよく、他のあらゆる形状の採用が可能である。
【００２７】
図３に示すように、連結部材１０ａは、第一壁部１００と第二壁部１０１、及び第一壁部１００と第二壁部１０１をつなぐ２つの側壁部１１０によって一体的に形成されている。図４に示すように、連結部材１０ａは、延伸方向の一端に剣先挿入部１０６と、延伸方向の他端にベルト挿入部１０７を備える。剣先係合部材８ａとベルト係合部材９ａは、少なくとも一部に雄ネジ形状が形成されている。剣先係合部材８ａが剣先係合部材用穴１３０に挿入されたとき、剣先係合部材８ａと剣先係合部材用穴１３０とが螺合し、ベルト係合部材９ａがベルト係合部材用穴１３１に挿入されたとき、ベルト係合部材９ａとベルト係合部材用穴１３１とが螺合する。剣先２は、剣先係合部材８ａが剣先係合部材用穴１３０に挿入されていない状態で、延伸方向に沿って剣先挿入部１０６に着脱可能である。ベルト本体３は、ベルト係合部材９ａがベルト係合部材用穴１３１に挿入されていない状態で、延伸方向に沿ってベルト挿入部１０７に着脱可能である。
【００２８】
図４及び図５に示すように、剣先係合部材８ａとベルト係合部材９ａは同様の形状をしたネジ部材である。剣先係合部材８ａとベルト係合部材９ａは、先端が凸状である円錐形状になっている。剣先係合部材用凹部１０４とベルト係合部材用凹部１０５は、剣先係合部材８ａとベルト係合部材９ａの先端形状である円錐形状に対応した凹部形状に形成されている。剣先係合部材８ａとベルト係合部材９ａは、剣先係合部材用凹部１０４とベルト係合部材用凹部１０５と接触したときに先端がはまり込んで位置が決められる。
【００２９】
図４〜図６に示す例では、剣先係合部材８ａとベルト係合部材９ａは全長に渡って外径に雄ネジが形成されている。なお、剣先係合部材８ａとベルト係合部材９ａは第一壁部１００に対応する位置に雄ネジが形成されておればよく、全長に渡って雄ネジが形成されていなくても良い。剣先係合部材８ａとベルト係合部材９ａの先端とは反対側に六角レンチが挿入されるように六角形の凹部が形成され、六角レンチを挿入して回転させることでネジ締めすることができる。
【００３０】
なお、剣先係合部材８ａとベルト係合部材９ａの先端の反対側は、六角レンチに対応した形状に限らない。例えば、マイナスドライバーに対応した溝が形成され、マイナスドライバー等によって回転可能であっても良い。剣先係合部材８ａとベルト係合部材９ａは、第一壁部１００に対して螺合し、先端部が剣先係合部材用凹部１０４とベルト係合部材用凹部１０５に接触することで締め付け力が発生する。また、第一壁部１００の剣先係合部材用穴１３０とベルト係合部材用穴１３１は、剣先係合部材８ａとベルト係合部材９ａに形成された雄ネジピッチに対応した形状の雌ネジが形成されている。
【００３１】
なお、剣先係合部材８ａとベルト係合部材９ａにセルフタップタイプの雄ネジが形成されているときは、剣先係合部材用穴１３０とベルト係合部材用穴１３１は雌ネジを形成する必要は無く、雄ネジに対応した径を有する穴で良い。図５に示すように、第一壁部１００に係合された剣先係合部材８ａとベルト係合部材９ａは、厚み方向にはみ出さない長さである。なお、剣先係合部材８ａとベルト係合部材９ａはネジの代わりに圧入ピンであっても良いしその他の締結具であっても良い。
【００３２】
図２〜図６に示す例では、剣先係合部材用穴１３０とベルト係合部材用穴１３１は、一例として第一壁部１００に備えられている。第一壁部１００は図１に示すベルト１において、腰部に接する側である裏側にあり、第二壁部１０１は腰部に接する側とは反対側である表側にある。例えば、剣先連結部４ａに装飾を目的とした彫刻を施す場合又はメッキがけを行う場合は、主に第二壁部１０１の表面に行われる。剣先係合部材用穴１３０とベルト係合部材用穴１３１は第一壁部１００に備えられているので、表面には穴が無く見栄えが良い。なお、剣先係合部材用穴１３０とベルト係合部材用穴１３１は、第一壁部１００に限らず、第二壁部１０１に備えられても良い。或いは、剣先係合部材用穴１３０とベルト係合部材用穴１３１は、全てが第一壁部１００或いは第二壁部１０１のいずれか一方に備えられる必要は無く、一部が第一壁部１００に備えられ、他が第二壁部１０１に備えられても良い。
【００３３】
また、図３〜図６に示した例では、第一壁部１００、第二壁部１０１及び２つの側壁部１１０は一つの部品として形成されているがこれに限らない。例えば、第一壁部１００、第二壁部１０１及び２つの側壁部１１０はそれぞれ別々の部品として形成した後に接合して一体にしてもよい。接合する方法は種々の方法を採用できる。第一壁部１００、第二壁部１０１及び２つの側壁部１１０の材質によって可能な接合方法は異なるが、例えば金属材料を使用する場合は、接着、溶接、圧入等の採用が可能であるがその他の方法でも良い。樹脂材料を使用する場合は、接着、溶着、圧入等の採用が可能であるがその他の方法でも良い。
【００３４】
剣先係合部材８ａ及びベルト係合部材９ａは、幅方向に離間して複数箇所備えられている。図２に示すように、剣先係合部材用穴１３０は幅方向に２箇所備えられ、２個の剣先係合部材８ａが挿入される。ベルト係合部材用穴１３１は幅方向に２箇所備えられ、２個のベルト係合部材９ａが挿入される。図２の例では、剣先係合部材用穴１３０とベルト係合部材用穴１３１はそれぞれ２箇所に備えられているがこれに限らない。剣先係合部材用穴１３０とベルト係合部材用穴１３１がそれぞれ３箇所以上備えられても良いし、剣先係合部材用穴１３０とベルト係合部材用穴１３１とが異なる個数備えられても良い。剣先係合部材用穴１３０とベルト係合部材用穴１３１の位置と個数に対応して、剣先係合部材用凹部１０４とベルト係合部材用凹部１０５が形成され、剣先係合部材８ａ及びベルト係合部材９ａが備えられる。
【００３５】
図４は、連結部材１０ａに境界部７ａが形成された例を示す。境界部７ａは、連結部材１０ａの内部であって延伸方向のほぼ中心位置に形成されている。連結部材１０ａに対して、剣先挿入部１０６から剣先２を挿入する際に、剣先２の先端が境界部７ａに当たる位置まで挿入することで、剣先開口部１４ａと剣先係合部材用穴１３０との位置合わせを容易に行うことができる。同様に、連結部材１０ａに対して、ベルト挿入部１０７からベルト本体３を挿入する際に、ベルト本体３の先端が境界部７ａに当たる位置まで挿入することで、ベルト開口部１５ａとベルト係合部材用穴１３１との位置合わせを容易に行うことができる。
【００３６】
図５は、図４に対して境界部７ａが無い場合を示す。連結部材１０ａは延伸方向に貫通している。剣先２は、ベルト本体３に比べて交換頻度が多くなることが予想される。よって、ベルト本体３が連結部材１０ａに取り付けられている状態で剣先２が交換される場合が多くなる。剣先挿入部１０６から剣先２を挿入する際に、剣先２の先端がベルト本体３に当たる位置まで挿入することで、剣先開口部１４ａと剣先係合部材用穴１３０との位置合わせを容易に行うことができる。よって、境界部７ａが無くても良い。
【００３７】
図２〜図６に示したように、剣先連結部４ａは少ない部品点数である。特に、連結部材１０ａは一体的に形成され、厚み方向の寸法は、剣先２又はベルト本体３の厚みに第一壁部１００の板厚１２０と第二壁部１０１の板厚１２１の厚みを加えた寸法である。連結部材１０ａは厚さ方向の荷重を受けることは少ないので、板厚１２０と板厚１２１とを薄くすることができる。よって、連結部材１０ａの厚み方向の寸法を薄くすることができる。連結部材１０ａは金属製であっても良いし樹脂製であっても良い。或いは、他の材質であっても良い。
【００３８】
次に、本発明に係る第二の実施形態について、図７〜図１１を参照して詳細に説明する。図７は、第二の実施形態に係るベルト１ｂにおいて、剣先連結部４ｂにおける第一連結部材２００と第二連結部材２０１、及び剣先連結部４ｂに取り付けられる剣先２とベルト本体３を示した平面図である。なお、第二連結部材２０１は、第一連結部材２００と対向する側を紙面の表側に示している。図８は、図１における断面Ａ−Ａであって、第一連結部材２００と第二連結部材２０１に剣先２とベルト本体３を取り付ける前の状態を示した図である。図９は、図１における断面Ａ−Ａであって、第一連結部材２００と第二連結部材２０１に剣先２とベルト本体３を取り付けた状態を示した図である。
【００３９】
図７〜図９に示すように、ベルト１ａの剣先連結部４ｂは、連結部材１０ｂと留め具２０２を備える。連結部材１０ｂは、第一連結部材２００と第二連結部材２０１からなる。第一連結部材２００又は第二連結部材２０１の少なくとも一方に、剣先係合部材８ｂとベルト係合部材９ｂを備え、他方に剣先係合部材８ｂとベルト係合部材９ｂに対応した位置に剣先留め具用穴２３０及びベルト留め具用穴２３１を備える。
【００４０】
図８及び図９に示すように、剣先２は、剣先係合部材８ｂに対応した位置に剣先開口部１４ｂを備え、剣先開口部１４ｂに剣先係合部材８ｂが挿入される。剣先２は、剣先取付部５ｂにおいて厚み方向で第一連結部材２００と第二連結部材２０１の間に挟まれる。ベルト本体３は、ベルト係合部材９ｂに対応した位置にベルト開口部１５ｂを備え、ベルト開口部１５ｂにベルト係合部材９ｂが挿入される。ベルト本体３は、ベルト取付部６ｂにおいて厚み方向で第一連結部材２００と第二連結部材２０１の間に挟まれる。剣先連結部４ａは、留め具２０２が剣先留め具用穴２３０及びベルト留め具用穴２３１に通され、剣先係合部材８ｂとベルト係合部材９ｂに挿入されることにより第一連結部材２００と第二連結部材２０１とが固定される。なお、図２と同様に、図７に示すようにベルト開口部１５ｂはハトメ１６が取り付けられて補強されている。また、ベルト本体３の延伸方向の端部３０は、ほどけることの防止と強度アップのために幅方向全体にわたって縫製処理されている。
【００４１】
留め具２０２は、例としてネジが使用される。剣先留め具用穴２３０及びベルト留め具用穴２３１は留め具２０２を挿入できるように留め具２０２の外径と同等か或いはやや大きなサイズの開口が形成されている。剣先係合部材８ｂとベルト係合部材９ｂは円柱形状であり、中心には厚み方向に沿って凹部５０、凹部５１が空けられてドーナッツ状になっている。凹部５０及び凹部５１は貫通穴では無く、第二連結部材２０１の表側からは穴が見えない。よって、ベルト１を腰部に取り付けたときに腰部とは反対側の表側となる第二連結部の表面に穴が見えないので、見栄えが良い。剣先開口部１４ｂとベルト開口部１５ｂは、剣先係合部材８ｂとベルト係合部材９ｂの外径に合わせて円形状の穴が空けられている。剣先開口部１４ｂとベルト開口部１５ｂの穴のサイズは必ずしも剣先係合部材８ｂとベルト係合部材９ｂの外径と同じである必要は無い。剣先係合部材８ｂとベルト係合部材９ｂの外径より小さくても良いし、大きくても良いし、或いは、同じでも良い。
【００４２】
ベルト１ａの第一連結部材２００又は第二連結部材２０１は、ベルト取付部６ａにおいてベルト本体３を押さえる突部であるベルト押さえ突部２０３を備える。図７〜図９及び図１１に示す例では、ベルト押さえ突部２０３は第二連結部材２０１の延伸方向の端部に備えられている。なお、ベルト押さえ突部２０３は第二連結部材２０１の延伸方向の端部に限らず、ベルト取付部６ａのどこにあってもよい。また、ベルト押さえ突部２０３は第一連結部材２００に備えられても良い。
【００４３】
ベルト１ｂの剣先係合部材８ｂ及びベルト係合部材９ｂは幅方向に離間して複数箇所備えられる。図７は、剣先係合部材８ｂ及びベルト係合部材９ｂがそれぞれ２個備えられた例を示す。剣先係合部材８ｂ及びベルト係合部材９ｂは同じ数備えられても良いし異なっても良い。また２個以上の数であっても良い。
【００４４】
図７〜図１１に示すように、第一連結部材２００は境界部７ｂを備え、延伸方向において境界部７ｂが剣先取付部５ｂとベルト取付部６ｂとを分離する。境界部７ｂは、第一連結部材２００に剣先２及びベルト本体３を取り付けるとき、先端部の取付位置の目安となる。また、剣先２の先端とベルト本体３の先端が重なり合うことを防止できる。
【００４５】
図８及び図９に示すように、剣先２は、第一連結部材２００の剣先取付部５ｂにおいて一端を境界部７ｂに合わせ、剣先開口部１４ｂを剣先係合部材８ｂに挿入する。ベルト本体３は、第一連結部材２００のベルト取付部６ｂにおいて一端を境界部７ｂに合わせ、ベルト開口部１５ｂをベルト係合部材９ｂに挿入する。第二連結部材２０１は、ベルト押さえ突部２０３を第一連結部材２００の側にし、剣先留め具用穴２３０及びベルト留め具用穴２３１が剣先係合部材８ｂとベルト係合部材９ｂの位置に合うように第一連結部材２００に取り付けられる。留め具２０２は、剣先係合部材８ｂとベルト係合部材９ｂのそれぞれの凹部５０、凹部５１に挿入して固定される。
【００４６】
図８及び図９に示す例では、留め具２０２は一般的な皿子ネジが使用される。剣先留め具用穴２３０及びベルト留め具用穴２３１は、留め具２０２の皿小ネジの形状に合わせて入り口が広がった形状になっている。図９に示すように、剣先留め具用穴２３０及びベルト留め具用穴２３１は、皿小ネジの先端が第二連結部材２０１の厚み方向端部より飛び出さないよう形成されている。留め具２０２がネジの場合は、留め具２０２を凹部５０及び凹部５１にネジ締めして固定される。凹部５０及び凹部５１は予め雌ネジが形成されていてもよいし、留め具２０２がセルフタッピングタイプのネジであれば、凹部５０及び凹部５１は所定の内径寸法の穴が形成されていれば良い。なお、留め具２０２は各種の締結具を採用可能である。留め具２０２はネジの代わりに圧入ピンであっても良いしその他の締結具であっても良い。
【００４７】
図９に示すように、第一連結部材２００と第二連結部材２０１が連結された連結部材１０ｂは、厚み方向の厚みが薄くなる。剣先２又はベルト本体３の厚さ寸法に加えて、第一連結部材２００の板厚２２０と第二連結部材２０１の板厚２２１の厚さ寸法が剣先連結部４ｂの厚さ寸法となる。連結部材１０ｂは厚さ方向の荷重を受けることは少ないので、板厚２２０と板厚２２１とを薄くすることができる。留め具２０２の長さは、剣先２及びベルト本体３の厚さ寸法に合わせる事ができる。よって、剣先連結部４ｂにおける厚さ寸法を薄くすることができる。例として、第一連結部材２００と第二連結部材２０１が金属製の場合、板厚２２０と板厚２２１を薄くできるので、特に剣先連結部４ｂの厚み方向の寸法を薄くすることができる。なお、第一連結部材２００と第二連結部材２０１は金属製に限らず、例えば樹脂製でもよいしその他の材質でも良い。
【００４８】
図７〜図１０に示すように、剣先係合部材８ｂとベルト係合部材９ｂ及び境界部７ｂは、一例として第一連結部材２００に備えられている。第一連結部材２００は図１に示すベルト１において、腰部に接する側である裏側にあり、第二連結部材２０１は腰部に接する側とは反対側である表側にある。例えば、剣先連結部４ｂに装飾を目的とした彫刻を施す場合又はメッキがけを行う場合は、主に第二連結部材２０１の表面に行われる。剣先留め具用穴２３０とベルト留め具用穴２３１は第一連結部材２００に備えられているので、表面には穴が無く見栄えが良い。なお、剣先係合部材８ｂとベルト係合部材９ｂ及び境界部７ｂは第一連結部材２００に限らず、第二連結部材２０１に備えられても良い。或いは、剣先係合部材８ｂとベルト係合部材９ｂ及び境界部７ｂは、全てが第一連結部材２００或いは第二連結部材２０１のいずれか一方に備えられる必要は無く、一部が第一連結部材２００に備えられ、他が第二連結部材２０１に備えられても良い。
【００４９】
図１０を参照して、第一連結部材２００の詳細を説明する。図１０は、第二の実施形態に係る第一連結部材２００の斜視図である。第一連結部材２００は一方の面に剣先取付部５ｂとベルト取付部６ｂを備え、境界部７によって各領域が分離されている。図１０では境界部７は連続した壁であるが、必ずしも連続した壁である必要は無い。例えば、剣先取付部５ｂとベルト取付部６ｂとの境界位置に不連続の突起があっても良いし、或いは不連続の壁でも良い。境界部７ｂの高さは、幅方向の両端部に設けられた壁２５２と同等の高さか或いは低くても良い。境界部７はベルト本体３と剣先２とを分離する境界の機能を果たせば良い。
【００５０】
剣先取付部５ｂは、２カ所に剣先係合部材８ｂを備える。２カ所の剣先係合部材８ｂは、幅方向の中心位置よりもそれぞれ壁２５２に近い位置に設けられている。剣先係合部材８ｂは円筒形状であり、中心に凹部５０を備える。凹部５０は貫通した穴では無い。なお、貫通した穴でもよい。
【００５１】
ベルト取付部６ｂも、２カ所にベルト係合部材９ｂを備える。２カ所のベルト係合部材９ｂは幅方向において剣先係合部材８ｂとほぼ同じ位置に設けられている。ベルト係合部材９ｂも剣先係合部材８ｂと同様に円筒形状であり、中心に凹部５１を備える。凹部５１は貫通した穴では無い。なお、貫通した穴でも良い。
【００５２】
図１１を参照して、第二連結部材２０１の詳細を説明する。図１１は、第二の実施形態に係る第二連結部材２０１の斜視図である。第二連結部材２０１は平板状であって延伸方向端部にベルト押さえ突部２０３を備えている。ベルト押さえ突部２０３は三角形状の刃部が設けられ、第二連結部材２０１を第一連結部材２００に取り付けると、刃部の先端がベルト本体３に食い込んでベルト本体３を固定する。ベルト押さえ突部２０３は、図１１に示すような同形状が連続的に並んだ形状でなくてもよい。例えば、刃部が一定間隔に形成され、刃部と刃部の間は空間があってもよい。あるいは、刃部の先端が鋭角でなくても良く、先端が丸みを持った形状でも良いし、先端が鈍角でも良い。刃部の先端は種々の形状の採用が可能である。第一連結部材２００に第二連結部材２０１が取り付けられたとき、ベルト押さえ突部２０３は壁２５２と壁２５２との間にはまり込む。第二連結部材２０１には、第一連結部材２００の剣先係合部材８ｂ及びベルト係合部材９ｂの位置に対応して剣先留め具用穴２３０及びベルト留め具用穴２３１が計４カ所設けられている。
【００５３】
次に、図１２及び図１３を参照して本発明の第三の実施形態に係るベルト１ｃを説明する。図１２は、図１における断面Ａ−Ａであって、第三の実施形態に係る第三連結部材３００と第四連結部材３０１を示した図であり、剣先連結部４ｃに剣先２とベルト本体３を取り付ける前の状態を示した図である。図１３は、図１における断面Ａ−Ａであって、第三の実施形態に係る第三連結部材３００と第四連結部材３０１を示した図であり、剣先連結部４ｃに剣先２とベルト本体３を取り付けた状態を示した図である。
【００５４】
第三の実施形態に係るベルト１ｃの連結部材１０ｃは、第三連結部材３００と第四連結部材３０１を備え、第三連結部材３００又は第四連結部材３０１の少なくとも一方に、剣先係合部材８ｃとベルト係合部材９ｃを備える。第三連結部材３００と第四連結部材３０１は、剣先取付部５ｂの延伸方向の端部又はベルト取付部６ｂの延伸方向の端部における幅方向の両端部において、一方に回転軸穴３０２を備え他方に回転軸部３０３を備える。第三連結部材３００と第四連結部材３０１は、第三連結部材３００と第四連結部材３０１とが互いに係合し合う係合固定部である爪部３０４を第三連結部材３００に備え、爪部３０５を第四連結部材３０１に備える。第三連結部材３００と第四連結部材３０１とは、回転軸穴３０２及び回転軸部３０３によって相対的に回転可能である。
【００５５】
図１２、図１３に示す例では、回転軸穴３０２及び回転軸部３０３は、ベルト取付部６ｂの延伸方向の端部に備えられているが、剣先取付部５ｂの延伸方向の端部に備えられても良い。図１２に示すように、第四連結部材３０１が第三連結部材３００に対して開いた状態で、剣先係合部材８ｃは剣先２と離間し、ベルト係合部材９ｃはベルト本体３と離間する。図１３に示すように、第四連結部材３０１が第三連結部材３００に対して閉じた状態で、剣先係合部材８ｃが剣先２に係合可能であり、ベルト係合部材９ｃがベルト本体３に係合可能である。図示しないが、剣先係合部材８ｃとベルト係合部材９ｃは、幅方向に離間して複数箇所備えられてもよい。あるいは、図示しないが剣先係合部材８ｃ及びベルト係合部材９ｃの先端は三角形状の刃部が備えられ、複数箇所に備えられた刃部が剣先２及びベルト本体３に係合しても良い。さらに、剣先係合部材８ｃ及びベルト係合部材９ｃは幅方向に１カ所であってもよい。なお、刃部の形状は種々の形状の採用が可能である。
【００５６】
図１２及び図１３に示す例では、剣先係合部材８ｃとベルト係合部材９ｃは第四連結部材３０１に備えられている。第三の実施形態におけるベルト１ｃは、第三連結部材３００の爪部３０４と第四連結部材３０１の爪部３０５とが係合して固定される。なお、剣先係合部材８ｃとベルト係合部材９ｃは第四連結部材３０１に備えられた例を示したがこれに限らない。剣先係合部材８ｃとベルト係合部材９ｃは第三連結部材３００に備えられても良い。或いは、剣先係合部材８ｃとベルト係合部材９ｃの一方が第三連結部材３００に備えられ、他方が第四連結部材３０１に備えられてもよい。
【００５７】
図１２、図１３に示すように、第三連結部材３００は境界部７ｃを備え、延伸方向において境界部７ｃが剣先取付部５ｃとベルト取付部６ｃとを分離する。境界部７ｃは、第三連結部材３００に剣先２及びベルト本体３を取り付けるとき、先端部の取付位置の目安となる。また、剣先２の先端とベルト本体３の先端が重なり合うことを防止できる。
【００５８】
次に、第一の実施形態に係るベルト１ａと第二の実施形態に係るベルト１ｂ、及び第三の実施形態に係るベルト１ｃに共通するベルト本体３について説明する。ベルト本体３は、例として延伸部２４において編地２１が延伸方向に沿って折り曲げて縫製され、編地２１は、弾性糸と非弾性糸とから編成される経編地である。経編地の経方向を延伸方向とし、延伸方向の引張物性は伸張率５％の引張荷重がベルト幅１０ｍｍ当たり３〜７Ｎであり、且つ伸張率１０％の引張荷重がベルト幅１０ｍｍ当たり５〜１２Ｎである。
【００５９】
次に、ベルト本体３における延伸部２４を形成する編地２１の製造方法を説明する。延伸部２４の編地２１は、弾性糸と非弾性糸とを交編して弾性編地とし、弾性編地が積層される。編地２１は、経編地が好ましく、弾性糸と非弾性糸との交編率は弾性糸１５〜３５％、非弾性糸６５〜８５％の範囲が好ましい。延伸部２４は、得られた弾性編地を複数枚縫製複合して積層体とし、延伸方向の引張物性値を、伸長率５％の引張荷重がベルト幅１０ｍｍ当たり３〜７Ｎであり、伸長率１０％の引張荷重がベルト幅１０ｍｍ当たり５〜１２Ｎであるように調整される。延伸部２４の編地２１は、縫製複合して積層体とする場合、延伸部２４の幅と同じ幅に編成した編地２１を用いてもよいし、幅広に編成した編地２１をベルト幅に裁断したり、折り曲げたりして、縫製複合してもよい。前記の引張物性値は、この縫製複合した積層体の示す値とすることが必要である。なお、ベルト本体３の材質、織り方を含めた製造方法はこれに限らず、伸縮性を有しない他の材質、製造方法によって製造されたものであっても良い。
【００６０】
以上説明したように、ベルト１（１ａ、１ｂ、１ｃ）は種々の効果を奏する。図１〜図４に示すように、剣先２は剣先係合部材８（８ａ、８ｂ、８ｃ）と係合した状態で剣先連結部４（４ａ、４ｂ、４ｃ）に固定され、ベルト本体３はベルト係合部材９（９ａ、９ｂ、９ｃ）と係合した状態で剣先連結部４（４ａ、４ｂ、４ｃ）に固定される。剣先２は、剣先係合部材８と離間した状態で剣先連結部４から分離することにより、剣先連結部４と着脱可能である。よって、ユーザーは自ら剣先２を交換することができる。損傷或いは変形した剣先２、購入時と異なるデザイン或いは材質からなる剣先２と交換することができる。
【００６１】
ベルト本体３の延伸部２４における編地２１が所定の引張荷重を有する伸縮性のある経編地を使用する場合、ベルト１は適切な範囲の引張荷重であるベルトサポーターとしての機能を果たす。剣先２のベルト穴４６は、バックル部４５の係止ピン４２が挿入されるので、ベルト本体３において発生する引張荷重を受けて損傷を受けやすくなる。従来のように、剣先２がベルト本体３に縫い込まれていると、剣先２のみが損傷を受けたとしてもベルト１全体を廃棄する必要が生じる。しかしながら、本発明に係るベルト１であれば剣先２を交換することができるので、ベルト本体３を使用し続けながら新たな剣先２を使用することができる。比較的耐久性のあるベルト本体３を長期間使用し続けることができる。
【００６２】
また、図４〜図６に示すように、第一の実施形態に係るベルト１ａにおいて、第一壁部１００に剣先係合部材用穴１３０とベルト係合部材用穴１３１を備えるので、剣先係合部材８ａとベルト係合部材９ａが挿入される位置が固定される。よって、剣先係合部材８ａが剣先開口部１４ａに係合し、ベルト係合部材９ａがベルト開口部１５ａに係合する。さらに、第二壁部１０１のうち剣先２及びベルト本体３に接する側であって、剣先係合部材用穴１３０とベルト係合部材用穴１３１に対向する位置に剣先係合部材用凹部１０４及びベルト係合部材用凹部１０５を備える。よって、剣先係合部材８ａの先端とベルト係合部材９ａの先端が、剣先係合部材用凹部１０４及びベルト係合部材用凹部１０５に傾くことなく接触し、剣先２とベルト本体３が剣先連結部４ａに確実に固定される。
【００６３】
また、図３〜図６に示すように、ベルト１ａの連結部材１０ａは、第一壁部１００と第二壁部１０１、及び第一壁部１００と第二壁部１０１をつなぐ２つの側壁部１１０によって一体的に形成されているので取扱が容易である。剣先係合部材８ａとベルト係合部材９ａは、少なくとも一部に雄ネジ形状が形成され、剣先係合部材８ａが剣先係合部材用穴１３０に挿入されたとき、剣先係合部材８ａと剣先係合部材用穴１３０とが螺合する。よって、剣先２とベルト本体３の取付作業が容易であり、剣先係合部材８ａとベルト係合部材９ａが連結部材１０ａに安定的に締結される。剣先２は、剣先係合部材８ａが剣先係合部材用穴１３０に挿入されていない状態で、延伸方向に沿って剣先挿入部１０６に着脱可能なので、着脱作業が容易である。同様に、ベルト本体３は、ベルト係合部材９ａがベルト係合部材用穴１３１に挿入されていない状態で、延伸方向に沿ってベルト挿入部１０７に着脱可能なので、着脱作業が容易である。
【００６４】
また、図８及び図９に示すように、第二の実施形態に係るベルト１ｂにおいて、剣先連結部４ｂはさらに留め具２０２を備える。第一連結部材２００と第二連結部材２０１の少なくとも一方に剣先係合部材８ｂとベルト係合部材９ｂを備え、他方に剣先係合部材８ｂとベルト係合部材９ｂに対応した位置に剣先留め具用穴２３０とベルト留め具用穴２３１を備える。よって剣先連結部４ｂは、留め具２０２が剣先留め具用穴２３０とベルト留め具用穴２３１に通されて剣先係合部材８ｂ及びベルト係合部材９ｂに挿入され、第一連結部材２００と第二連結部材２０１とが固定される。剣先２は、剣先開口部１４ｂに剣先係合部材８ｂが挿入され、剣先取付部５ｂにおいて厚み方向で第一連結部材２００と第二連結部材２０１の間に挟まれ、剣先留め具用穴２３０に留め具２０２が挿入される。よって剣先２は、第一連結部材２００と第二連結部材２０１に挟まれて固定され、剣先連結部４ｂに対してズレが少なくなる。
【００６５】
ベルト本体３は、ベルト開口部１５ｂにベルト係合部材９ｂが挿入され、ベルト取付部６ｂにおいて厚み方向で第一連結部材２００と第二連結部材２０１の間に挟まれ、ベルト留め具用穴２３１に留め具２０２が挿入される。よってベルト本体３は、第一連結部材２００と第二連結部材２０１に挟まれて固定され、剣先連結部４ｂに対してズレが少なくなる。また、剣先連結部４ｂにおける厚さ方向は、剣先２或いはベルト本体３の厚さに加えて第一連結部材２００の板厚２２０と第二連結部材２０１の板厚２２１によってのみ形成されるのでより薄くすることができる。
【００６６】
また、図７〜図９に示すように、第二の実施形態に係るベルト１ｂにおいて、第一連結部材２００又は第二連結部材２０１は、ベルト取付部６ｂにおける延伸方向端部にベルト押さえ突部２０３を備えている。よって、ベルト本体３は、第一連結部材２００に第二連結部材２０１が取り付けられたときベルト押さえ突部２０３によって固定されるので、ベルト１ｂが剣先連結部４ｂによってより確実に固定される。
【００６７】
また、全ての実施形態に係るベルト１（１ａ、１ｂ、１ｃ）において、図２及び図７に示すように（ベルト１ｃは図示しない）、剣先２とベルト本体３は、幅方向に離間して複数箇所の剣先係合部材８及びベルト係合部材９で係合されるので、よりズレが少なくなる。またベルト１が延伸方向に引っ張られたときに、剣先係合部材８及びベルト係合部材９にかかる負荷を分散させることができるので剣先２及びベルト本体３の変形及び損傷を軽減することができる。
【００６８】
また、図７、図８に示すように第三連結部材３００と第四連結部材３０１は、ベルト取付部６ｃの延伸方向の端部（図示しない）又はベルト取付部６ｃの延伸方向の端部における幅方向の両端部において、一方に回転軸穴３０２を備え他方に回転軸部３０３を備える。第三連結部材３００と第四連結部材３０１とは回転軸穴３０２と回転軸部３０３にて相対的に回転可能である。よって、ベルト１ｃは、剣先２の着脱がより簡単である。第四連結部材３０１が第三連結部材３００に対して開いた状態で、剣先係合部材８ｃは剣先２と離間し、ベルト係合部材９ｃはベルト本体３と離間するので、剣先連結部４ｃに対して剣先２及びベルト本体３は着脱可能である。第四連結部材３０１が第三連結部材３００に対して閉じた状態で、剣先係合部材８ｃが剣先２に係合可能であり、ベルト係合部材９ｃがベルト本体３に係合可能である。よって、剣先２とベルト本体３は、剣先連結部４ｃによってより確実に固定される。
【００６９】
第三連結部材３００と第四連結部材３０１は、第三連結部材３００と第四連結部材３０１とが互いに係合し合う係合固定部である爪部３０４を第三連結部材３００に備え、爪部３０５を第四連結部材３０１に備える。よって、剣先連結部４ｃは第三連結部材３００と第四連結部材３０１を閉じた状態で固定することができる。
【００７０】
図１２、図１３に示すように、ベルト１ｃの連結部材１０ｃは、剣先取付部５ｃとベルト取付部６ｃとの間に境界部７ｃを備え、剣先取付部５ｃとベルト取付部６ｃは境界部７ｃによって分離される。よって、連結部材１０ｃに剣先２を取り付ける際に取付位置の目安となり、剣先２を容易に取り付けることができる。また、剣先２とベルト本体３とが重なって取り付けられることを防止できる。
【００７１】
また、全ての実施形態に係るベルト１（１ａ、１ｂ、１ｃ）において、延伸部２４における編地２１は所定の引張荷重を有する伸縮性のある経編地なので、適切な範囲の引張荷重であるベルトサポーターとしての機能を果たすことができる。ベルト１は剣先連結部４を備えるので、仮に所定の引張荷重によって剣先２が損傷を受けたとしても剣先２のみ交換することができる。
【００７２】
ここで、剣先連結部４、４ａ、４ｂ、４ｃが本発明の「剣先連結部」に相当し、連結部材１０、１０ａ、１０ｂ、１０ｃが本発明の「連結部材」に相当する。剣先取付部５、５ａ、５ｂ、５ｃが本発明の「剣先取付部」に相当し、ベルト取付部６、６ａ、６ｂ、６ｃが本発明の「ベルト取付部」に相当する。剣先係合部材８、８ａ、８ｂ、８ｃが本発明の「剣先係合部」に相当し、ベルト係合部材９、９ａ、９ｂ、９ｃが本発明の「ベルト係合部材」に相当する。爪部３０４及び爪部３０５が本発明の「係合固定部」に相当する。
【００７３】
なお、本発明のベルト１は、上記実施形態に限定されるものでは無く、本発明の要旨を逸脱しない範囲において種々変更を加えることは勿論可能である。図１０に示すように、剣先係合部材８ｂとベルト係合部材９ｂは円柱状の形状について説明したが、これに限らない。例えば、剣先係合部材８ｂとベルト係合部材９ｂの外径形状が多角形形状であっても良いし、星形、楕円形状、或いはその他の形状であってもよい。さらに、図２及び図７に示すように、剣先開口部１４ａ、１４ｂとベルト開口部１５ａ、１５ｂは円形形状であるがこれに限らない。例えば、多角形形状でも良いし、十字状の切欠きが設けられていて剣先係合部材８ａ、８ｂ及びベルト係合部材９ａ、９ｂが挿入されると開いて開口部が形成されても良い。
【００７４】
また、境界部７（７ａ、７ｂ、７ｃ）は幅方向に連続して形成された壁を示したが（図５参照、第一の実施形態と第三の実施形態では図示しない）、これに限らない。例えば、幅方向において部分的に空間を有する不連続な壁であっても良い。或いは、境界部７は壁ではなく幅方向に円柱状の突起が並んでいても良い。剣先２とベルト本体３を分離できれば良いし、剣先２及びベルト本体３を取り付けるときの境界になれば良い。
【００７５】
また、図１２、図１３に示すように、剣先連結部４ｃは、第三連結部材３００と第四連結部材３０１とが爪部３０４と爪部３０５とで係合して固定されるがこれに限らない。例えば、第一の実施形態に係るベルト１ａ或いは第二の実施形態に係るベルト１ｂに示したように、第三連結部材３００と第四連結部材３０１とがネジ部材によって固定されても良い。
【符号の説明】
【００７６】
１、１ａ、１ｂ、１ｃ    ベルト
２    剣先
３    ベルト本体
４、４ａ、４ｂ、４ｃ    剣先連結部
５、５ａ、５ｂ、５ｃ    剣先取付部
６、６ａ、６ｂ、６ｃ    ベルト取付部
７、７ａ、７ｂ、７ｃ    境界部
８、８ａ、８ｂ、８ｃ    剣先係合部材
９、９ａ、９ｂ、９ｃ    ベルト係合部材
１０、１０ａ、１０ｂ、１０ｃ    連結部材
１４、１４ａ、１４ｂ    剣先開口部
１５、１５ａ、１５ｂ    ベルト開口部
２１    編地
２４    延伸部
１００    第一壁部
１０１    第二壁部
１０４    剣先係合部材用凹部
１０５    ベルト係合部材用凹部
１０６    剣先挿入部
１０７    ベルト挿入部
１１０    側壁部
１３０    剣先係合部材用穴
１３１    ベルト係合部材用穴
２００    第一連結部材
２０１    第二連結部材
２０２    留め具
２０３    ベルト押さえ突部
２３０    剣先留め具用穴
２３１    ベルト留め具用穴
３００    第三連結部材
３０１    第四連結部材
３０２    回転軸穴
３０３    回転軸部
３０４    爪部
３０５    爪部
【図１】
2019173183.tif 000003
【図２】
2019173183.tif 000004
【図３】
2019173183.tif 000005
【図４】
2019173183.tif 000006
【図５】
2019173183.tif 000007
【図６】
2019173183.tif 000008
【図７】
2019173183.tif 000009
【図８】
2019173183.tif 000010
【図９】
2019173183.tif 000011
【図１０】
2019173183.tif 000012
【図１１】
2019173183.tif 000013
【図１２】
2019173183.tif 000014
【図１３】
2019173183.tif 000015